(57)【特許請求の範囲】
【請求項１】
蓄電池を含む蓄電装置と商用電力系統とを用いて負荷に給電するシステムに用いられるエネルギーマネジメント装置であって、
前記蓄電池を放電させる電力アシスト時間帯を設定するとともに、当該電力アシスト時間帯での前記蓄電装置の出力電力の大きさを放電量として設定する設定部と、
前記電力アシスト時間帯に前記蓄電池が放電して前記出力電力が前記放電量になるように前記蓄電装置を制御する制御部と、
前記商用電力系統の商用電力および需要電力について所定タイミングごとに予測された結果を表わす電気予報を外部から取得する予報取得部とを備え、
前記設定部は、前記予報取得部で取得された前記電気予報を用いて前記電力アシスト時間帯を設定し、前記電力アシスト時間帯において、電力会社から買電する買電量が一定になるように前記放電量を設定する
ことを特徴とするエネルギーマネジメント装置。
【請求項２】
蓄電池を含む蓄電装置と商用電力系統とを用いて負荷に給電するシステムに用いられるエネルギーマネジメント装置であって、
前記蓄電池を放電させる電力アシスト時間帯を設定するとともに、当該電力アシスト時間帯での前記蓄電装置の出力電力の大きさを放電量として設定する設定部と、
前記電力アシスト時間帯に前記蓄電池が放電して前記出力電力が前記放電量になるように前記蓄電装置を制御する制御部と、
前記商用電力系統の商用電力および需要電力について所定タイミングごとに予測された結果を表わす電気予報を外部から取得する予報取得部とを備え、
前記設定部は、前記予報取得部で取得された前記電気予報を用いて前記電力アシスト時間帯を設定し、前記電力アシスト時間帯において、電力会社へ売電する売電量が一定になるように前記放電量を設定する
ことを特徴とするエネルギーマネジメント装置。
【請求項３】
蓄電池を含む蓄電装置と商用電力系統とを用いて負荷に給電するシステムに用いられるエネルギーマネジメント装置であって、
前記蓄電池を放電させる電力アシスト時間帯を設定するとともに、当該電力アシスト時間帯での前記蓄電装置の出力電力の大きさを放電量として設定する設定部と、
前記電力アシスト時間帯に前記蓄電池が放電して前記出力電力が前記放電量になるように前記蓄電装置を制御する制御部と、
前記商用電力系統の商用電力および需要電力について所定タイミングごとに予測された結果を表わす電気予報を外部から取得する予報取得部とを備え、
前記設定部は、前記予報取得部で取得された前記電気予報を用いて前記電力アシスト時間帯を設定し、前記電力アシスト時間帯において、電力会社から買電する買電量が漸増または漸減となるように前記放電量を設定する
ことを特徴とするエネルギーマネジメント装置。
【請求項４】
蓄電池を含む蓄電装置と商用電力系統とを用いて負荷に給電するシステムに用いられるエネルギーマネジメント装置であって、
前記蓄電池を放電させる電力アシスト時間帯を設定するとともに、当該電力アシスト時間帯での前記蓄電装置の出力電力の大きさを放電量として設定する設定部と、
前記電力アシスト時間帯に前記蓄電池が放電して前記出力電力が前記放電量になるように前記蓄電装置を制御する制御部と、
前記商用電力系統の商用電力および需要電力について所定タイミングごとに予測された結果を表わす電気予報を外部から取得する予報取得部とを備え、
前記設定部は、前記予報取得部で取得された前記電気予報を用いて前記電力アシスト時間帯を設定し、前記電力アシスト時間帯において、電力会社へ売電する売電量が漸増または漸減となるように前記放電量を設定する
ことを特徴とするエネルギーマネジメント装置。
【請求項５】
請求項１〜４のいずれか１項に記載のエネルギーマネジメント装置と、
蓄電池を含む蓄電装置と
を備えることを特徴とするエネルギーマネジメントシステム。
【請求項６】
蓄電池を含む蓄電装置と商用電力系統とを用いて負荷に給電するシステムに用いられて前記蓄電池の放電を制御するために、コンピュータを、
前記蓄電池を放電させる電力アシスト時間帯を設定するとともに、当該電力アシスト時間帯での前記蓄電装置の出力電力の大きさを放電量として設定する設定部、
前記電力アシスト時間帯に前記蓄電池が放電して前記出力電力が前記放電量になるように前記蓄電装置を制御する制御部、および
前記商用電力系統の商用電力および需要電力について所定タイミングごとに予測された結果を表わす電気予報を外部から取得する予報取得部として機能させ、
前記コンピュータを、前記設定部として、前記予報取得部で取得された前記電気予報を用いて前記電力アシスト時間帯を設定させ、前記電力アシスト時間帯において、電力会社から買電する買電量が一定になるように前記放電量を設定させる
ためのプログラム。
【請求項７】
蓄電池を含む蓄電装置と商用電力系統とを用いて負荷に給電するシステムに用いられて前記蓄電池の放電を制御するために、コンピュータを、
前記蓄電池を放電させる電力アシスト時間帯を設定するとともに、当該電力アシスト時間帯での前記蓄電装置の出力電力の大きさを放電量として設定する設定部、
前記電力アシスト時間帯に前記蓄電池が放電して前記出力電力が前記放電量になるように前記蓄電装置を制御する制御部、および
前記商用電力系統の商用電力および需要電力について所定タイミングごとに予測された結果を表わす電気予報を外部から取得する予報取得部として機能させ、
前記コンピュータを、前記設定部として、前記予報取得部で取得された前記電気予報を用いて前記電力アシスト時間帯を設定させ、前記電力アシスト時間帯において、電力会社へ売電する売電量が一定になるように前記放電量を設定させる
ためのプログラム。
【請求項８】
蓄電池を含む蓄電装置と商用電力系統とを用いて負荷に給電するシステムに用いられて前記蓄電池の放電を制御するために、コンピュータを、
前記蓄電池を放電させる電力アシスト時間帯を設定するとともに、当該電力アシスト時間帯での前記蓄電装置の出力電力の大きさを放電量として設定する設定部、
前記電力アシスト時間帯に前記蓄電池が放電して前記出力電力が前記放電量になるように前記蓄電装置を制御する制御部、および
前記商用電力系統の商用電力および需要電力について所定タイミングごとに予測された結果を表わす電気予報を外部から取得する予報取得部として機能させ、
前記コンピュータを、前記設定部として、前記予報取得部で取得された前記電気予報を用いて前記電力アシスト時間帯を設定させ、前記電力アシスト時間帯において、電力会社から買電する買電量が漸増または漸減となるように前記放電量を設定させる
ためのプログラム。
【請求項９】
蓄電池を含む蓄電装置と商用電力系統とを用いて負荷に給電するシステムに用いられて前記蓄電池の放電を制御するために、コンピュータを、
前記蓄電池を放電させる電力アシスト時間帯を設定するとともに、当該電力アシスト時間帯での前記蓄電装置の出力電力の大きさを放電量として設定する設定部、
前記電力アシスト時間帯に前記蓄電池が放電して前記出力電力が前記放電量になるように前記蓄電装置を制御する制御部、および
前記商用電力系統の商用電力および需要電力について所定タイミングごとに予測された結果を表わす電気予報を外部から取得する予報取得部として機能させ、
前記コンピュータを、前記設定部として、前記予報取得部で取得された前記電気予報を用いて前記電力アシスト時間帯を設定させ、前記電力アシスト時間帯において、電力会社へ売電する売電量が漸増または漸減となるように前記放電量を設定させる
ためのプログラム。
【発明の詳細な説明】
【技術分野】
【０００１】
本発明は、蓄電池を含む蓄電装置と商用電力系統とを用いて負荷に給電するシステムに用いられるエネルギーマネジメント装置、エネルギーマネジメントシステムおよびプログラムに関する。
【背景技術】
【０００２】
従来から、契約電力を超えることを防止するために、契約電力を超えた場合に、契約電力を超えた旨を報知する機能、または、所定の機器または分岐回路を切断する機能を有するシステムが知られている（例えば特許文献１参照）。
【０００３】
また、電気料金の低減化を主たる目的としてエネルギー状態の表示・太陽光発電・蓄電池を活用するエネルギーマネジメントに関する技術や商品が知られている。
【先行技術文献】
【特許文献】
【０００４】
【特許文献１】特開２００３−１５８８２５号公報
【発明の概要】
【発明が解決しようとする課題】
【０００５】
しかしながら、従来のシステムは、あくまで契約電力超えという電力契約単位のブレーカ落ちを防止したり、次年度の電気料金を低減させたりすることを目的としており、昨今の電力事情の悪化に社会構成員として対応したシステムではなかった。
【０００６】
本発明は上記の点に鑑みて為された発明であり、本発明の目的は、電力事情を向上させることができるエネルギーマネジメント装置、エネルギーマネジメントシステムおよびプログラムを提供することにある。
【課題を解決するための手段】
【００１０】
本発明のエネルギーマネジメント装置は、蓄電池を含む蓄電装置と商用電力系統とを用いて負荷に給電するシステムに用いられるエネルギーマネジメント装置であって、前記蓄電池を放電させる電力アシスト時間帯を設定するとともに、当該電力アシスト時間帯での前記蓄電装置の出力電力の大きさを放電量として設定する設定部と、前記電力アシスト時間帯に前記蓄電池が放電して前記出力電力が前記放電量になるように前記蓄電装置を制御する制御部と、前記商用電力系統の商用電力および需要電力について所定タイミングごとに予測された結果を表わす電気予報を外部から取得する予報取得部とを備え、前記設定部は、前記予報取得部で取得された前記電気予報を用いて前記電力アシスト時間帯を設定し、前記電力アシスト時間帯において、電力会社から買電する買電量が一定になるように前記放電量を設定することを特徴とする。
【００１１】
本発明のエネルギーマネジメント装置は、蓄電池を含む蓄電装置と商用電力系統とを用いて負荷に給電するシステムに用いられるエネルギーマネジメント装置であって、前記蓄電池を放電させる電力アシスト時間帯を設定するとともに、当該電力アシスト時間帯での前記蓄電装置の出力電力の大きさを放電量として設定する設定部と、前記電力アシスト時間帯に前記蓄電池が放電して前記出力電力が前記放電量になるように前記蓄電装置を制御する制御部と、前記商用電力系統の商用電力および需要電力について所定タイミングごとに予測された結果を表わす電気予報を外部から取得する予報取得部とを備え、前記設定部は、前記予報取得部で取得された前記電気予報を用いて前記電力アシスト時間帯を設定し、前記電力アシスト時間帯において、電力会社へ売電する売電量が一定になるように前記放電量を設定することを特徴とする。
【００１２】
本発明のエネルギーマネジメント装置は、蓄電池を含む蓄電装置と商用電力系統とを用いて負荷に給電するシステムに用いられるエネルギーマネジメント装置であって、前記蓄電池を放電させる電力アシスト時間帯を設定するとともに、当該電力アシスト時間帯での前記蓄電装置の出力電力の大きさを放電量として設定する設定部と、前記電力アシスト時間帯に前記蓄電池が放電して前記出力電力が前記放電量になるように前記蓄電装置を制御する制御部と、前記商用電力系統の商用電力および需要電力について所定タイミングごとに予測された結果を表わす電気予報を外部から取得する予報取得部とを備え、前記設定部は、前記予報取得部で取得された前記電気予報を用いて前記電力アシスト時間帯を設定し、前記電力アシスト時間帯において、電力会社から買電する買電量が漸増または漸減となるように前記放電量を設定することを特徴とする。
【００１３】
本発明のエネルギーマネジメント装置は、蓄電池を含む蓄電装置と商用電力系統とを用いて負荷に給電するシステムに用いられるエネルギーマネジメント装置であって、前記蓄電池を放電させる電力アシスト時間帯を設定するとともに、当該電力アシスト時間帯での前記蓄電装置の出力電力の大きさを放電量として設定する設定部と、前記電力アシスト時間帯に前記蓄電池が放電して前記出力電力が前記放電量になるように前記蓄電装置を制御する制御部と、前記商用電力系統の商用電力および需要電力について所定タイミングごとに予測された結果を表わす電気予報を外部から取得する予報取得部とを備え、前記設定部は、前記予報取得部で取得された前記電気予報を用いて前記電力アシスト時間帯を設定し、前記電力アシスト時間帯において、電力会社へ売電する売電量が漸増または漸減となるように前記放電量を設定することを特徴とする。
【００１５】
本発明のエネルギーマネジメントシステムは、前記エネルギーマネジメント装置と、蓄電池を含む蓄電装置とを備えることを特徴とする。
【００１６】
本発明のプログラムは、蓄電池を含む蓄電装置と商用電力系統とを用いて負荷に給電するシステムに用いられて前記蓄電池の放電を制御するために、コンピュータを、前記蓄電池を放電させる電力アシスト時間帯を設定するとともに、当該電力アシスト時間帯での前記蓄電装置の出力電力の大きさを放電量として設定する設定部、前記電力アシスト時間帯に前記蓄電池が放電して前記出力電力が前記放電量になるように前記蓄電装置を制御する制御部、および前記商用電力系統の商用電力および需要電力について所定タイミングごとに予測された結果を表わす電気予報を外部から取得する予報取得部として機能させ、前記コンピュータを、前記設定部として、前記予報取得部で取得された前記電気予報を用いて前記電力アシスト時間帯を設定させ、前記電力アシスト時間帯において、電力会社から買電する買電量が一定になるように前記放電量を設定させるためのプログラムである。
本発明のプログラムは、蓄電池を含む蓄電装置と商用電力系統とを用いて負荷に給電するシステムに用いられて前記蓄電池の放電を制御するために、コンピュータを、前記蓄電池を放電させる電力アシスト時間帯を設定するとともに、当該電力アシスト時間帯での前記蓄電装置の出力電力の大きさを放電量として設定する設定部、前記電力アシスト時間帯に前記蓄電池が放電して前記出力電力が前記放電量になるように前記蓄電装置を制御する制御部、および前記商用電力系統の商用電力および需要電力について所定タイミングごとに予測された結果を表わす電気予報を外部から取得する予報取得部として機能させ、前記コンピュータを、前記設定部として、前記予報取得部で取得された前記電気予報を用いて前記電力アシスト時間帯を設定させ、前記電力アシスト時間帯において、電力会社へ売電する売電量が一定になるように前記放電量を設定させるためのプログラムである。
本発明のプログラムは、蓄電池を含む蓄電装置と商用電力系統とを用いて負荷に給電するシステムに用いられて前記蓄電池の放電を制御するために、コンピュータを、前記蓄電池を放電させる電力アシスト時間帯を設定するとともに、当該電力アシスト時間帯での前記蓄電装置の出力電力の大きさを放電量として設定する設定部、前記電力アシスト時間帯に前記蓄電池が放電して前記出力電力が前記放電量になるように前記蓄電装置を制御する制御部、および前記商用電力系統の商用電力および需要電力について所定タイミングごとに予測された結果を表わす電気予報を外部から取得する予報取得部として機能させ、前記コンピュータを、前記設定部として、前記予報取得部で取得された前記電気予報を用いて前記電力アシスト時間帯を設定させ、前記電力アシスト時間帯において、電力会社から買電する買電量が漸増または漸減となるように前記放電量を設定させるためのプログラムである。
本発明のプログラムは、蓄電池を含む蓄電装置と商用電力系統とを用いて負荷に給電するシステムに用いられて前記蓄電池の放電を制御するために、コンピュータを、前記蓄電池を放電させる電力アシスト時間帯を設定するとともに、当該電力アシスト時間帯での前記蓄電装置の出力電力の大きさを放電量として設定する設定部、前記電力アシスト時間帯に前記蓄電池が放電して前記出力電力が前記放電量になるように前記蓄電装置を制御する制御部、および前記商用電力系統の商用電力および需要電力について所定タイミングごとに予測された結果を表わす電気予報を外部から取得する予報取得部として機能させ、前記コンピュータを、前記設定部として、前記予報取得部で取得された前記電気予報を用いて前記電力アシスト時間帯を設定させ、前記電力アシスト時間帯において、電力会社へ売電する売電量が漸増または漸減となるように前記放電量を設定させるためのプログラムである。
【発明の効果】
【００１７】
本発明によれば、電力アシスト時間帯および放電量を設定することによって、電力事情を向上させることができる。
【図面の簡単な説明】
【００１８】
【図１】実施形態１に係るエネルギーマネジメントシステムの構成を示すブロック図である。
【図２】同上に係るエネルギーマネジメント装置の内部構成を示すブロック図である。
【図３】同上に係るパワーコンディショナの内部構成を示すブロック図である。
【図４】同上に係る分電盤および電力計測ユニットの内部構成を示すブロック図である。
【図５】同上に係る蓄電装置の内部構成を示すブロック図である。
【図６】同上に係る表示器の内部構成を示すブロック図である。
【図７】同上に係る表示器の登録画面を示す図である。
【図８】実施形態２に係るエネルギーマネジメント装置の内部構成を示すブロック図である。
【図９】実施形態３に係るエネルギーマネジメント装置の内部構成を示すブロック図である。
【図１０】同上に係る発電電力予測値格納エリアを示す図である。
【図１１】同上に係る使用電力予測値格納エリアを示す図である。
【図１２】同上に係る過去発電電力格納エリアを示す図である。
【図１３】同上に係る過去使用電力格納エリアを示す図である。
【図１４】同上に係るエネルギーマネジメントシステムの動作を説明するための図である。
【図１５】実施形態５に係るエネルギーマネジメントシステムの動作を説明するための図である。
【図１６】実施形態７に係るエネルギーマネジメントシステムの動作を説明するための図である。
【発明を実施するための形態】
【００１９】
（実施形態１）
実施形態１に係るエネルギーマネジメントシステム１は、図１に示すように、エネルギーマネジメント装置（コントローラ）２と、蓄電池（電池ブロック）３１を含む蓄電装置３とを備えている。また、エネルギーマネジメントシステム１は、系統連系を行う太陽電池パネル４１と、太陽電池パネル４１で生成された直流電力を交流電力に変換するパワーコンディショナ４２とを備えている。さらに、エネルギーマネジメントシステム１は、交流電力を分電する分電盤５１と、分電盤５１内の各種電力を計測する電力計測ユニット５２と、各種情報を表示する表示器６とを備えている。エネルギーマネジメント装置２には、ネットワーク（図示せず）を介してセンターサーバ７が接続されている。
【００２０】
本実施形態のエネルギーマネジメントシステム１は、戸建住宅である住戸に設置され、蓄電装置３と太陽電池パネル４１と商用電力系統８とを用いて複数台（図示例では２台）の負荷９１，９１に給電するシステムである。なお、負荷９１は、コンセント９２に接続されることによって給電される。
【００２１】
太陽電池パネル４１は、複数枚の太陽電池が並んで接続された状態で住戸の屋根に設置され、太陽光エネルギーを利用して発電する太陽光発電によって直流電力を生成する。
【００２２】
パワーコンディショナ４２は、図３に示すように、ＤＡコンバータ４２１と、コンディショナ側制御部４２２とを備えている。ＤＡコンバータ４２１は、コンディショナ側制御部４２２の指示に従って、太陽電池パネル４１の発電電力（発電量）である直流電力を交流電力に変換する。コンディショナ側制御部４２２は、ＣＰＵ（Central Processing Unit）を主構成要素とし、ＤＡコンバータ４２１を制御する。例えば、コンディショナ側制御部４２２は、商用電力系統８（図１参照）との協調制御を行う。
【００２３】
分電盤５１は、図４に示すように、主幹ブレーカ５１１と、複数台（図示例では２台）の分岐ブレーカ５１２，５１２とを備えている。主幹ブレーカ５１１は、蓄電装置３、パワーコンディショナ４２および商用電力系統８から交流電力を取得し、各分岐ブレーカ５１２に出力する。分岐ブレーカ５１２は、コンセント９２を介して接続されている負荷９１へ電力を供給する。
【００２４】
電力計測ユニット５２は、第１の電流検出部５２１と、第２の電流検出部５２２と、第３の電流検出部５２３と、ユニット側制御部５２４と、ユニット側通信部５２５とを備えている。第１の電流検出部５２１は、主幹ブレーカ５１１の入力側の主幹回路に流れる電流を検出する。第２の電流検出部５２２は、蓄電装置３からの電流を検出する。第３の電流検出部５２３は、パワーコンディショナ４２からの電流を検出する。ユニット側制御部５２４は、ＣＰＵを主構成要素とし、第１の電流検出部５２１で検出された電流から主幹回路の電力すなわち総使用電力を算出する機能と、第２の電流検出部５２２で検出された電流から蓄電装置３（蓄電池３１）の充放電電力を算出する機能と、第３の電流検出部５２３で検出された電流から太陽電池パネル４１の発電電力を算出する機能とを有している。ユニット側通信部５２５は、ユニット側制御部５２４の指示に従って、使用電力と蓄電池３１の充放電電力と太陽電池パネル４１の発電電力とをエネルギーマネジメント装置２へ送信する。
【００２５】
蓄電装置３は、図５に示すように、蓄電池３１と、ＡＤコンバータ３２と、ＤＡコンバータ３３と、蓄電装置側通信部３４と、充放電制御部３５とを備えている。蓄電池３１は、例えばニカド電池、ニッケル水素電池、リチウムイオン電池または鉛蓄電池などであり、太陽電池パネル４１（図１参照）の発電電力および商用電力系統８（図１参照）の商用電力を蓄電することができる。ＡＤコンバータ３２は、充電時において、充放電制御部３５の指示に従って、分電盤５１側からの交流電力を直流電力に変換する。ＤＡコンバータ３３は、放電時において、充放電制御部３５の指示に従って、蓄電池３１からの直流電力を交流電力に変換する。蓄電装置側通信部３４は、エネルギーマネジメント装置２と通信する機能を有し、蓄電池３１の電池残量に関する情報をエネルギーマネジメント装置２へ送信する一方、充放電制御に関する制御信号をエネルギーマネジメント装置２から受信する。充放電制御部３５は、蓄電池３１の電池残量を監視するとともに、エネルギーマネジメント装置２からの制御信号に従って、ＡＤコンバータ３２およびＤＡコンバータ３３を制御する。
【００２６】
表示器６は、図６に示すように、表示器側記憶部６１と、モニタ部６２と、操作部６３と、表示器側通信部６４と、表示器側制御部６５とを備えている。表示器側記憶部６１は、登録画面データを記憶する。モニタ部６２は、例えば液晶ディスプレイ（ＬＣＤ：Liquid Crystal Display）または有機ＥＬ（Electro-Luminescence）ディスプレイなどであり、エネルギーマネジメント装置２からの情報、および、表示器側記憶部６１に記憶されている登録画面データを取得して登録画面６６（図７参照）を表示する。モニタ部６２に表示される登録画面６６には、電力アシスト時間帯と電力アシスト時間帯での放電量（図７の「電力アシスト量」）とを入力するための項目がある。操作部６３は、例えば複数の操作ボタンまたはタッチパネルなどであり、使用者がエネルギーマネジメント装置２への指示を入力するときに用いられる。操作部６３には、使用者の入力操作によって各種指示が入力される。例えば、操作部６３は、入力操作によって電力アシスト時間帯と放電量とが入力される。表示器側通信部６４は、エネルギーマネジメント装置２と通信する機能を有し、操作部６３から入力された入力情報をエネルギーマネジメント装置２へ送信する。表示器側制御部６５は、表示器６の各種機能を制御する。
【００２７】
エネルギーマネジメント装置２は、ＣＰＵおよびメモリが搭載されたコンピュータ（マイクロコンピュータを含む）を主構成要素とし、図２に示すように、第１の通信部２１と、第２の通信部２２と、第３の通信部２３と、第４の通信部２４と、コントローラ側記憶部２５と、計時部２６と、処理装置２７とを備えている。
【００２８】
第１の通信部２１は、電力計測ユニット５２と通信する機能を有し、使用電力と蓄電池３１の充放電電力と太陽電池パネル４１の発電電力とに関する情報を電力計測ユニット５２から受信する。第２の通信部２２は、蓄電装置３と通信する機能を有し、蓄電池３１の電池残量に関する情報を蓄電装置３から受信する一方、充放電制御に関する制御信号を蓄電装置３へ送信する。第３の通信部２３は、表示器６と通信する機能を有し、表示器６に入力された入力情報を受信する。第４の通信部２４は、ネットワーク（図示せず）を介してセンターサーバ７と通信する機能を有している。
【００２９】
コントローラ側記憶部２５は、時間帯格納エリア２５１と、放電量格納エリア２５２とを備えている。時間帯格納エリア２５１には、電力アシスト時間帯の情報が格納されている。放電量格納エリア２５２には、蓄電装置３の放電量の情報が格納されている。なお、コントローラ側記憶部２５には、上記以外の各種情報およびプログラムも記憶されている。
【００３０】
計時部２６は、例えばＲＴＣ（Real Time Clock）であり、現在時刻を計時する。
【００３１】
処理装置２７は、コンピュータに搭載されたＣＰＵを主構成要素とし、コントローラ側記憶部２５に格納されているプログラムに従って動作することによって、エネルギーマネジメント装置２全体を制御する。例えば、処理装置２７は、後述の設定部２７１と制御部２７２との各機能を実現する。
【００３２】
設定部２７１は、表示器６への入力情報に従って、蓄電池３１を放電させる電力アシスト時間帯を設定するとともに、電力アシスト時間帯での蓄電装置３の出力電力の大きさを放電量として設定する。
【００３３】
制御部２７２は、設定部２７１で設定された電力アシスト時間帯に蓄電池３１が放電して蓄電装置３の出力電力が設定部２７１で設定された放電量になるように蓄電装置３を制御する。
【００３４】
なお、コントローラ側記憶部２５には、コンピュータであるエネルギーマネジメント装置２が各種の機能を実行するためのプログラムが格納されている。つまり、コントローラ側記憶部２５には、エネルギーマネジメント装置２の処理装置２７を、設定部２７１および制御部２７２として機能させるためのプログラムが格納されている。
【００３５】
次に、本実施形態に係るエネルギーマネジメントシステム１の動作について図１を用いて説明する。
【００３６】
まず、エネルギーマネジメント装置２は、表示器６が登録画面６６を表示するように表示器６を制御し、表示器６は、エネルギーマネジメント装置２の指示に従って、モニタ部６２に登録画面６６を表示する。その後、ユーザは、例えばネットワークを介して外部から取得した電気予報を用いて、モニタ部６２に表示されている登録画面６６を見ながら、表示器６の操作部６３から電力アシスト時間帯および放電量を入力する。ユーザの入力操作の後、エネルギーマネジメント装置２の設定部２７１は、電力アシスト時間帯および放電量を設定する。
【００３７】
電気予報は、商用電力系統８の商用電力および需要電力について所定タイミングごとに予測された結果を表わしている。具体的には、電気予報は、例えば電力会社からの供給電力に対する電力会社の電力供給地域での予想使用電力の割合などのように、電力会社の電力供給地域での予想使用電力および電力会社からの供給電力などを表わしている。また、電気予報は、電力会社または電力会社以外の機関から発信される。なお、電気予報は、所定時間の商用電力量および需要電力量についての予測結果であってもよい。
【００３８】
その後、電力アシスト時間帯の開始時刻になると、エネルギーマネジメント装置２は、設定された放電量で蓄電池３１が放電するように蓄電装置３を制御する。蓄電装置３は、エネルギーマネジメント装置２の指示に従って、蓄電池３１を放電させる。
【００３９】
以上説明した本実施形態のエネルギーマネジメントシステム１では、電力会社が必要とする時間帯に蓄電池３１から放電させることができるので、上記時間帯に買電量を減少させたり、売電量を増加させたりすることができ、その結果、社会構成員として電力事情の向上に貢献することができる。例えば、商用電力系統８の商用電力および需要電力の予測結果を表わす電気予報を活用することによって、電力会社が必要とする時間帯に蓄電池３１から放電させることができる。
【００４０】
（実施形態２）
実施形態２に係るエネルギーマネジメントシステム１は、エネルギーマネジメント装置２が電気予報を取得して電力アシスト時間帯および放電量を自動で設定する点で、実施形態１に係るエネルギーマネジメントシステム１と相違する。なお、実施形態１のエネルギーマネジメントシステム１と同様の構成要素については、同一の符号を付して説明を省略する。
【００４１】
本実施形態のエネルギーマネジメント装置２の処理装置２７は、図８に示すように、ネットワークを介して外部（例えばセンターサーバ７など）から電気予報を取得する予報取得部２７３の機能を有している。
【００４２】
本実施形態の設定部２７１は、予報取得部２７３で取得された電気予報を用いて電力アシスト時間帯および放電量を設定する。なお、実施形態１の設定部２７１と同様の構成要素については、同一の符号を付して説明を省略する。
【００４３】
次に、本実施形態に係るエネルギーマネジメントシステム１の動作について図８を用いて説明する。
【００４４】
まず、エネルギーマネジメント装置２は、センターサーバ７などの外部から電気予報を取得する。電気予報を取得した後、エネルギーマネジメント装置２は、電気予報を用いて電力アシスト時間帯および放電量を設定する。
【００４５】
その後、電力アシスト時間帯の開始時刻になると、エネルギーマネジメント装置２は、設定された放電量で蓄電池３１が放電するように蓄電装置３を制御する。蓄電装置３は、エネルギーマネジメント装置２の指示に従って蓄電池３１を放電させる。
【００４６】
以上説明した本実施形態のエネルギーマネジメントシステム１では、ユーザの入力操作なしに電力アシスト時間帯および電力アシスト時間帯での蓄電装置３の放電量を設定することができる。
【００４７】
なお、本実施形態の変形例として、予報取得部２７３は、ネットワークを介して外部から電力アシスト時間帯および放電量の少なくとも一方に関する情報を取得してもよい。本変形例の場合、設定部２７１は、予報取得部２７３に取得された情報を用いて電力アシスト時間帯および放電量を設定する。
【００４８】
（実施形態３）
実施形態３に係るエネルギーマネジメントシステム１は、電力アシスト時間帯において、電力会社から買電する買電量を一定にするように蓄電装置３を制御する点で、実施形態２に係るエネルギーマネジメントシステム１と相違する。なお、実施形態２のエネルギーマネジメントシステム１と同様の構成要素については、同一の符号を付して説明を省略する。
【００４９】
本実施形態のエネルギーマネジメント装置２は、電力アシスト時間帯での蓄電装置３の放電量をユーザの入力情報に従って設定するのではなく、買電量が一定になるように設定する。
【００５０】
本実施形態のコントローラ側記憶部２５は、図９に示すように、発電電力予測値格納エリア２５３と、使用電力予測値格納エリア２５４と、過去発電電力格納エリア２５５と、過去使用電力格納エリア２５６とをさらに備えている。
発電電力予測値格納エリア２５３は、図１０に示すように、単位時間（例えば１分間）ごとの発電電力の予測値を示すテーブルを格納している。使用電力予測値格納エリア２５４は、図１１に示すように、単位時間（例えば１分間）ごとの使用電力の予測値を示すテーブルを格納している。過去発電電力格納エリア２５５は、図１２に示すように、過去の発電電力を示すテーブルを格納している。過去使用電力格納エリア２５６は、図１３に示すように、過去の使用電力を示すテーブルを格納している。
【００５１】
本実施形態の処理装置２７は、電力アシスト時間帯において、太陽電池パネル４１の発電電力に関する発電情報を取得する情報取得部２７４として機能する。
【００５２】
本実施形態の設定部２７１は、情報取得部２７４で取得された発電情報を用いて、電力アシスト時間帯において、買電量が目標買電量で一定になるように、連続的または所定時間間隔ごとに蓄電装置３の放電量を設定する。なお、実施形態２の設定部２７１と同様の機能については説明を省略する。
【００５３】
目標買電量は、以下のように決められた量である。まず、コントローラ側記憶部２５は、これまでに電力計測ユニット５２で計測された使用電力を過去使用電力格納エリア２５６に蓄積する。設定部２７１は、過去使用電力格納エリア２５６に蓄積されている所定期間の使用電力の平均値（平均使用電力）に応じて、数１に示す目標買電量を求める。
【００５４】
【数１】
0005919531.tif 000002
なお、Ｔｓは電力アシスト時間帯の開始時刻、Ｔｅは電力アシスト時間帯の終了時刻、Ｗｕは単位時間あたりの使用電力の予測値、Ｗｐｖは単位時間あたりの太陽電池パネル４１の発電予測量であり、Ｃｓは蓄電装置３の放電量であり、ＷｕおよびＷｐｖは過去の同一の電力アシスト時間帯に含まれる各時刻での例えば１周間の平均である。
【００５５】
設定部２７１は、電力アシスト時間帯において、連続的または所定時間間隔ごとに、電力計測ユニット５２で計測された使用電力と太陽電池パネル４１の発電電力との差分を求め、この差分と目標買電量との差分を用いて電力アシスト時間帯での蓄電装置３の放電量を設定する。すなわち、設定部２７１は、電力アシスト時間帯において、連続的または所定時間間隔ごとに〔（実際の時刻の使用電力）−（実際の時刻の太陽電池パネル４１の発電電力）｝−目標買電量〕の値を蓄電装置３の放電量として設定する。
【００５６】
次に、本実施形態に係るエネルギーマネジメントシステム１の動作について説明する。
【００５７】
まず、エネルギーマネジメント装置２は、電力計測ユニット５２から送られてくる使用電力に関する情報を過去使用電力格納エリア２５６に逐次一定期間格納し、太陽電池パネル４１の発電電力に関する情報を過去発電電力格納エリア２５５に逐次一定期間格納する。その後、電力アシスト時間帯を設定すると、電力アシスト時間帯での使用電力の予測値を、例えば過去の一定期間の平均値として使用電力予測値格納エリア２５４に格納し、太陽電池パネル４１の発電電力の予測値を、例えば過去の一定期間の平均値として発電電力予測値格納エリア２５３に格納する。
【００５８】
その後、電力アシスト時間帯の開始時刻になると、エネルギーマネジメント装置２は、開始時刻の時点での蓄電池３１の残量を放電することで一定になる目標買電量を算出し、さらに放電量を設定し、この放電量で蓄電池３１が放電するように蓄電装置３に指示する。蓄電装置３は、エネルギーマネジメント装置２の指示に従って、蓄電池３１を放電させる。なお、放電量が負の値である場合、蓄電池３１は蓄電してもよい。
【００５９】
図１４は、電力アシスト時間帯の開始時刻ｔ１から終了時刻ｔ２までの間において、買電量（図１４の（ａ））と、使用電力（図１４の（ｂ））と、太陽電池パネル４１の発電電力（図１４の（ｃ））と、蓄電装置３の放電量（図１４の（ｄ））との関係を示している。電力アシスト時間帯において買電量が一定になるように、蓄電池３１が放電している。
【００６０】
以上説明した本実施形態のエネルギーマネジメントシステム１では、買電量を安定化することで、電力会社にとって、需要の変動量を低減化できる。
【００６１】
なお、予測が大きく外れる場合には、買電量の一定化が図れない可能性がある。しかしながら、一定時間ごとに目標買電量の算出を繰り返すことで補正が可能である。
【００６２】
本実施形態の変形例として、コントローラ側記憶部２５は、目標買電量を予め記憶していてもよい。本変形例の場合、設定部２７１は、電力計測ユニット５２で計測された使用電力と太陽電池パネル４１の発電電力とコントローラ側記憶部２５に記憶されている目標買電量とを用いて、電力アシスト時間帯での蓄電装置３の放電量を設定する。
【００６３】
（実施形態４）
実施形態４に係るエネルギーマネジメントシステム１は、電力会社へ売電する売電量を一定にするように蓄電装置３を制御する点で、実施形態３に係るエネルギーマネジメントシステム１と相違する。なお、実施形態３のエネルギーマネジメントシステム１と同様の構成要素については、同一の符号を付して説明を省略する。
【００６４】
本実施形態の設定部２７１は、電力アシスト時間帯において、売電量が目標売電量で一定になるように、連続的または所定時間間隔ごとに蓄電装置３の放電量を設定する。なお、実施形態３の設定部２７１と同様の機能については説明を省略する。
【００６５】
目標売電量は、以下のように決められた量である。まず、コントローラ側記憶部２５は、これまでに電力計測ユニット５２で計測された使用電力を過去使用電力格納エリア２５６に蓄積する。設定部２７１は、過去使用電力格納エリア２５６に蓄積されている所定期間の使用電力の平均値（平均使用電力）に応じて、数２に示す目標売電量を求める。
【００６６】
【数２】
0005919531.tif 000003
なお、Ｔｓは電力アシスト時間帯の開始時刻、Ｔｅは電力アシスト時間帯の終了時刻、Ｗｕは単位時間あたりの使用電力の予測値、Ｗｐｖは単位時間あたりの太陽電池パネル４１の発電予測量であり、Ｃｓは蓄電装置３の放電量であり、ＷｕおよびＷｐｖは過去の同一の電力アシスト時間帯に含まれる各時刻での例えば１周間の平均である。
【００６７】
設定部２７１は、電力アシスト時間帯において、連続的または所定時間間隔ごとに、電力計測ユニット５２で計測された使用電力と太陽電池パネル４１の発電電力との差分を求め、この差分を目標売電量から差し引いた分を電力アシスト時間帯での蓄電装置３の放電量として設定する。すなわち、設定部２７１は、電力アシスト時間帯において、連続的または所定時間間隔ごとに、〔目標売電量−｛（実際の時刻の太陽電池パネル４１の発電電力）−（実際の時刻の使用電力）｝〕の値を蓄電装置３の放電量として設定する。
【００６８】
次に、本実施形態に係るエネルギーマネジメントシステム１の動作について説明する。
【００６９】
まず、エネルギーマネジメント装置２は、電力計測ユニット５２から送られてくる使用電力に関する情報を過去使用電力格納エリア２５６に逐次一定期間格納し、太陽電池パネル４１の発電電力に関する情報を過去発電電力格納エリア２５５に逐次一定期間格納する。その後、電力アシスト時間帯を設定すると、電力アシスト時間帯での使用電力の予測値を、例えば過去の一定期間の平均値として使用電力予測値格納エリア２５４に格納し、太陽電池パネル４１の発電電力の予測値を、例えば過去の一定期間の平均値として発電電力予測値格納エリア２５３に格納する。
【００７０】
その後、電力アシスト時間帯の開始時刻になると、エネルギーマネジメント装置２は、現在時刻の時点での蓄電池３１の残量を放電することで一定になる目標売電量を算出し、さらに放電量を設定し、この放電量で蓄電池３１が放電するように蓄電装置３に指示する。蓄電装置３の充放電制御部３５は、エネルギーマネジメント装置２の指示に従って蓄電池３１を放電させる。なお、放電量が負の値である場合、蓄電池３１は蓄電してもよい。
【００７１】
以上説明した本実施形態のエネルギーマネジメントシステム１では、売電量を安定化することで、電力会社にとって、変動の少ない安定した供給源として期待することができる。例えば、電力会社にとって、天気による変動の少ない安定した供給源として住戸の太陽電池パネル４１に期待することができる。
【００７２】
なお、予測が大きく外れる場合には、売電量の一定化が図れない可能性がある。しかしながら、一定時間ごとに目標売電量の算出を繰り返すことで補正が可能である。
【００７３】
本実施形態の変形例として、コントローラ側記憶部２５は、目標売電量を予め記憶していてもよい。本変形例の場合、設定部２７１は、電力計測ユニット５２で計測された使用電力と太陽電池パネル４１の発電電力とコントローラ側記憶部２５に記憶されている目標売電量とを用いて、電力アシスト時間帯での蓄電装置３の放電量を設定する。
【００７４】
（実施形態５）
実施形態５に係るエネルギーマネジメントシステム１は、電力会社から買電する買電量を漸増させるように蓄電装置３を制御する点で、実施形態３に係るエネルギーマネジメントシステム１と相違する。なお、実施形態３のエネルギーマネジメントシステム１と同様の構成要素については、同一の符号を付して説明を省略する。
【００７５】
本実施形態の設定部２７１は、電力アシスト時間帯において、買電量が漸増するように、連続的または所定時間間隔ごとに蓄電装置３の放電量を設定する。なお、実施形態３の設定部２７１と同様の機能については説明を省略する。
【００７６】
まず、コントローラ側記憶部２５は、これまでに電力計測ユニット５２で計測された使用電力を過去使用電力格納エリア２５６に蓄積する。設定部２７１は、過去使用電力格納エリア２５６に蓄積されている所定期間の使用電力の平均値（平均使用電力）に応じて、目標買電量特性を求める。
【００７７】
目標買電量特性は、電力アシスト時間帯の開始時の買電量を最小値とし終了時の買電量を最大値として一定割合で漸増する特性である。電力アシスト時間帯での蓄電装置３の総放電量は実施形態３の場合と同じであるから、電力アシスト時間帯の開始時刻の買電量を「０」、終了時刻の買電量を「目標買電量の２倍」とし、その２点を結ぶ直線を電力アシスト時間帯での各時刻の漸増買電目標値とする。
【００７８】
設定部２７１は、電力アシスト時間帯において、連続的または所定時間間隔ごとに、目標買電量特性を用いて、電力計測ユニット５２で計測された使用電力と太陽電池パネル４１の発電電力との差分を求め、この差分と目標買電量特性上の漸増買電目標値との差分を蓄電装置３の放電量として設定する。すなわち、設定部２７１は、電力アシスト時間帯において、連続的または所定時間間隔ごとに〔｛（実際の時刻の使用電力）−（実際の時刻の太陽電池パネル４１の発電電力）｝−漸増買電目標値〕の値を蓄電装置３の放電量として設定する。
【００７９】
図１５は、電力アシスト時間帯の開始時刻ｔ１１から終了時刻ｔ１２までの間において、買電量（図１５の（ａ））と、使用電力（図１５の（ｂ））と、太陽電池パネル４１の発電電力（図１５の（ｃ））と、蓄電装置３の放電量（図１５の（ｄ））との関係を示している。電力アシスト時間帯において買電量が漸増するように、蓄電池３１が放電している。
【００８０】
以上説明した本実施形態のエネルギーマネジメントシステム１では、買電量が漸増するように蓄電装置３の放電量を設定することによって、非ＨＥＭＳ（Home Energy Management System）住宅の節電状況（逼迫時間帯の初めに節電がなされる状況）に対応した買電制御を実現することができる。
【００８１】
なお、本実施形態の変形例として、買電量を漸減させてもよい。本変形例の場合、設定部２７１は、目標買電量特性として、電力アシスト時間帯の開始時の買電量を最大値とし終了時の買電量を最小値として一定割合で漸減する特性を用いる。電力アシスト時間帯での蓄電装置３の放電量は実施形態３の場合と同じであるから、電力アシスト時間帯の開始時刻の買電量を「目標買電量の２倍」、終了時刻の買電量を「０」とし、その２点を結ぶ直線を電力アシスト時間帯の各時刻の漸減買電目標値とする。このような本変形例のエネルギーマネジメントシステム１では、買電量が漸減するように蓄電装置３の放電量を設定することによって、非ＨＥＭＳ住宅の節電状況（電気予報を見損ねた人が多く、逼迫時間帯の後半に節電がなされる状況）に対応した買電制御を実現することができる。
【００８２】
また、エネルギーマネジメント装置２は、目標買電量特性を求めるのではなく、コントローラ側記憶部２５に予め記憶していてもよい。
【００８３】
（実施形態６）
実施形態６に係るエネルギーマネジメントシステム１は、電力会社へ売電する売電量を漸増させるように蓄電装置３を制御する点で、実施形態４に係るエネルギーマネジメントシステム１と相違する。なお、実施形態４のエネルギーマネジメントシステム１と同様の構成要素については、同一の符号を付して説明を省略する。
【００８４】
本実施形態の設定部２７１は、電力アシスト時間帯において、売電量が漸増するように、連続的または所定時間間隔ごとに蓄電装置３の放電量を設定する。なお、実施形態４の設定部２７１と同様の機能については説明を省略する。
【００８５】
まず、コントローラ側記憶部２５は、これまでに電力計測ユニット５２で計測された使用電力を過去使用電力格納エリア２５６に蓄積する。設定部２７１は、過去使用電力格納エリア２５６に蓄積されている所定期間の使用電力の平均値（平均使用電力）に応じて、目標売電量特性を求める。
【００８６】
目標売電量特性は、電力アシスト時間帯の開始時の売電量を最小値とし終了時の売電量を最大値として一定割合で漸増する特性である。電力アシスト時間帯での蓄電装置３の総放電量は実施形態４の場合と同じであるから、電力アシスト時間帯の開始時刻の売電量を「０」、終了時刻の売電量を「目標売電量の２倍」とし、その２点を結ぶ直線を電力アシスト時間帯での各時刻の漸増売電目標値とする。
【００８７】
設定部２７１は、電力アシスト時間帯において、連続的または所定時間間隔ごとに、目標売電量特性を用いて、電力計測ユニット５２で計測された使用電力と太陽電池パネル４１の発電電力との差分を求め、この差分を目標売電量特性上の漸増売電目標値から差し引いた値を放電量として設定する。すなわち、設定部２７１は、電力アシスト時間帯において、連続的または所定時間間隔ごとに〔漸増売電目標値−｛（実際の時刻の太陽電池パネル４１の発電電力）−（実際の時刻の使用電力）｝〕の値を蓄電装置３の放電量として設定する。
【００８８】
以上説明した本実施形態のエネルギーマネジメントシステム１では、売電量が漸増するように蓄電装置３の放電量を設定することによって、非ＨＥＭＳ住宅の節電状況（逼迫時間帯の初めに節電がなされる状況）に対応した売電制御を実現することができる。
【００８９】
なお、本実施形態の変形例として、売電量を漸減させてもよい。本変形例の場合、設定部２７１は、目標売電量特性として、電力アシスト時間帯の開始時の売電量を最大値とし終了時の売電量を最小値として一定割合で漸減する特性を用いる。電力アシスト時間帯での蓄電装置３の放電量は実施形態４の場合と同じであるから、電力アシスト時間帯の開始時刻の売電量を「目標売電量の２倍」、終了時刻の売電量を「０」とし、その２点を結ぶ直線を電力アシスト時間帯の各時刻の漸減売電目標値とする。このような本変形例のエネルギーマネジメントシステム１では、売電量が漸減するように蓄電装置３の放電量を設定することによって、非ＨＥＭＳ住宅の節電状況（電気予報を見損ねた人が多く、逼迫時間帯の後半に節電がなされる状況）に対応した売電制御を実現することができる。
【００９０】
また、エネルギーマネジメント装置２は、目標売電量特性を求めるのではなく、コントローラ側記憶部２５に予め記憶していてもよい。
【００９１】
（実施形態７）
実施形態７に係るエネルギーマネジメントシステム１は、太陽電池パネル４１の発電電力が最大となる時刻を含む時間帯に蓄電池３１の放電を制限する点で、実施形態２に係るエネルギーマネジメントシステム１と相違する。なお、実施形態２のエネルギーマネジメントシステム１と同様の構成要素については、同一の符号を付して説明を省略する。
【００９２】
本実施形態の設定部２７１は、図１６に示すように、電力アシスト時間帯（ｔ２２−ｔ２１）において、太陽電池パネル４１の発電電力が最大となる発電ピーク時刻ｔ２４を含むピーク時間帯Ｔ１（＝ｔ２５−ｔ２３）を設定する。一例として、設定部２７１は、過去の発電電力から発電ピーク時刻ｔ２４を予測し、発電ピーク時刻ｔ２４を中心に例えばプラスマイナス３０分間をピーク時間帯Ｔ１とする。
【００９３】
図１６は、電力アシスト時間帯の開始時刻ｔ２１から終了時刻ｔ２２までの間において、使用電力（図１６の（ｂ））と、太陽電池パネル４１の発電電力（図１６の（ｃ））と、蓄電装置３の放電量（図１６の（ｄ））との関係を示している。
【００９４】
本実施形態の制御部２７２は、設定部２７１で設定されたピーク時間帯（放電制御時間帯）Ｔ１において、設定部２７１で設定された放電量よりも蓄電装置３の出力電力を少なくするように蓄電装置３を制御する。図１７は、ピーク時間帯Ｔ１での蓄電装置３の放電量を０とする場合を示す。
【００９５】
以上説明した本実施形態のエネルギーマネジメントシステム１では、ピーク時間帯Ｔ１に蓄電装置３の放電量を制限することによって、非ＨＥＭＳ住宅の売電状況（太陽電池パネル４１の発電電力が多い時間帯に売電量が急激に増す状況）に対応した売電制御を実現することができる。
【００９６】
なお、各実施形態のエネルギーマネジメントシステム１の設置場所は、住戸に限定されず、店舗などあってもよい。
【符号の説明】
【００９７】
１  エネルギーマネジメントシステム
２  エネルギーマネジメント装置
２７１  設定部
２７２  制御部
２７３  予報取得部
２７４  情報取得部
３  蓄電装置
３１  蓄電池
４１  太陽電池パネル
【図１】
0005919531.tif 000004
【図２】
0005919531.tif 000005
【図３】
0005919531.tif 000006
【図４】
0005919531.tif 000007
【図５】
0005919531.tif 000008
【図６】
0005919531.tif 000009
【図７】
0005919531.tif 000010
【図８】
0005919531.tif 000011
【図９】
0005919531.tif 000012
【図１０】
0005919531.tif 000013
【図１１】
0005919531.tif 000014
【図１２】
0005919531.tif 000015
【図１３】
0005919531.tif 000016
【図１４】
0005919531.tif 000017
【図１５】
0005919531.tif 000018
【図１６】
0005919531.tif 000019